(57)【特許請求の範囲】
【請求項１】
ワイヤレス送受信ユニット（ＷＴＲＵ）におけるハンドオーバの方法であって、
ソースセルに関連付けられた第２のｅノードＢ（ｅＮＢ）から、ハンドオーバコマンドを受信することであり、前記ハンドオーバコマンドはターゲットセルに関連付けられた第１のｅＮＢの固有の構成を含む、ことと、
前記第１のｅＮＢのシステムフレーム番号（ＳＦＮ）を要求されない範囲まで、ハンドオーバを実施することであり、レイヤ１（Ｌ１）フィードバックを無効にすることを含む、ことと、
前記ハンドオーバコマンドを受信した後に、前記第１のｅＮＢのプライマリブロードキャストチャネル（Ｐ-ＢＣＨ）の受信および処理を開始することと、
前記Ｐ-ＢＣＨで前記第１のｅＮＢの前記ＳＦＮを受信することと、
前記第１のｅＮＢへハンドオーバ完了メッセージを送信することと、
前記第１のｅＮＢの前記ＳＦＮを用いる正常動作をさらに実施することと
を備えることを特徴とする方法。
【請求項２】
前記第１のｅＮＢの前記ＳＦＮを要求されない範囲まで実施される前記ハンドオーバは、デフォルトの動作を前記ＷＴＲＵに実施させることを特徴とする請求項１に記載の方法。
【請求項３】
前記第１のｅＮＢの前記ＳＦＮを要求されない範囲まで前記ハンドオーバを実施することは、半永続的スケジュール（ｓｅｍｉ−ｐｅｒｓｉｓｔｅｎｔ ｓｃｈｅｄｕｌｉｎｇ（ＳＰＳ））の使用を無効にすることをさらに含み、前記第１のｅＮＢの前記ＳＦＮを用いる前記正常動作をさらに実施することは、ＳＰＳを有効にすることを含むことを特徴とする請求項１に記載の方法。
【請求項４】
前記第１のｅＮＢの前記ＳＦＮを要求されない範囲まで前記ハンドオーバを実施することは、間欠受信（ＤＲＸ）を無効にすることをさらに含み、前記第１のｅＮＢの前記ＳＦＮを用いる前記正常動作をさらに実施することは、ＤＲＸを有効にすることを含むことを特徴とする請求項１に記載の方法。
【請求項５】
前記第１のｅＮＢの前記ＳＦＮを用いる前記正常動作をさらに実施することは、Ｌ１フィードバックを有効にすることを含むことを特徴とする請求項１に記載の方法。
【請求項６】
無線送受信ユニット（ＷＴＲＵ）であって、
ソースセルに関連付けられた第２のｅノードＢ（ｅＮＢ）から、ハンドオーバコマンドを受信するように構成されている受信機であり、前記ハンドオーバコマンドはターゲットセルに関連付けられた第１のｅＮＢの固有の構成を含む、受信機と、
少なくとも１つのプロセッサと
を備え、
前記少なくとも１つのプロセッサは、
前記第１のｅＮＢの、システムフレーム番号（ＳＦＮ）を要求されない範囲まで、ハンドオーバを実施し、レイヤ１（Ｌ１）フィードバックの使用を無効にすることを含み、
前記ハンドオーバコマンドを受信した後に、前記第１のｅＮＢのプライマリブロードキャストチャネル（Ｐ-ＢＣＨ）の受信および処理を開始するように構成されており、
前記受信機は、前記Ｐ-ＢＣＨで前記第１のｅＮＢの前記ＳＦＮを受信するようにさらに構成されており、
前記少なくとも１つのプロセッサは、さらに、前記第１のｅＮＢの前記ＳＦＮを用いる正常動作を実施し、前記第１のｅＮＢへハンドオーバ完了メッセージの送信を開始するようにも構成されていることを特徴とするＷＴＲＵ。
【請求項７】
前記第１のｅＮＢの前記ＳＦＮを要求されない範囲まで実施される前記ハンドオーバは、デフォルトの動作を前記ＷＴＲＵに実施させることを特徴とする請求項６に記載のＷＴＲＵ。
【請求項８】
前記第１のｅＮＢの前記ＳＦＮを要求されない範囲まで前記ハンドオーバを実施することは、半永続的スケジュール（ｓｅｍｉ−ｐｅｒｓｉｓｔｅｎｔ ｓｃｈｅｄｕｌｉｎｇ（ＳＰＳ））の使用を無効にすることをさらに含み、前記第１のｅＮＢの前記ＳＦＮを用いる前記正常動作をさらに実施することは、ＳＰＳを有効にすることを含むことを特徴とする請求項６に記載のＷＴＲＵ。
【請求項９】
前記第１のｅＮＢの前記ＳＦＮを要求されない範囲まで前記ハンドオーバを実施することは、間欠受信（ＤＲＸ）を無効にすることをさらに含み、前記第１のｅＮＢの前記ＳＦＮを用いる前記正常動作をさらに実施することは、ＤＲＸを有効にすることを含むことを特徴とする請求項６に記載のＷＴＲＵ。
【請求項１０】
前記第１のｅＮＢの前記ＳＦＮを用いる前記正常動作をさらに実施することは、Ｌ１フィードバックを有効にすることを含むことを特徴とする請求項６に記載のＷＴＲＵ。
【発明の詳細な説明】
【技術分野】
【０００１】
この出願は、無線通信に関する。
【背景技術】
【０００２】
３ＧＰＰ（Third Generation Partnership Project）は、改善されたスペクトル効率およびより高速なユーザ体験を提供するために、新しい技術、新しいネットワークアーキテクチャ、新しい構成、および、新しいアプリケーションかつサービスを無線ネットワークに持ち込むＬＴＥ（Long Term Evolution）を開始した。
【０００３】
無線送受信ユニット（ＷＴＲＵ）は、セル内の単一のｅノードＢ（ｅＮＢ）と継続的に通信することができない。ＷＴＲＵが最初のセルとの通信から２番目のセルへ移動する場合、２つのセル間の切り替え処理は「ハンドオーバ」として知られている。ＬＴＥネットワークでは、ＷＴＲＵは、ＷＴＲＵが切り替える元のセル内のｅＮＢであるソースｅＮＢと、ＷＴＲＵが切り替える先のセル内のｅＮＢであるターゲットｅＮＢとの間のハンドオーバを、通信リンクの性能にはほとんどあるいは全く影響なく行うことができるはずである。
【０００４】
ＬＴＥネットワークのハンドオーバ処理のいくつかの段階では、ＷＴＲＵは、ハンドオーバが円滑に行われるために、ターゲットｅＮＢに関する情報を取得する必要がある。ＷＴＲＵがターゲットｅＮＢに関する情報を取得するための一つの方法は、ＷＴＲＵがブロードキャストチャネル（ＢＣＨ）を読み取ることであり、ＢＣＨは、ＢＣＨを送信しているｅＮＢに関する情報を伝送する共通のダウンリンク制御チャネルである。情報は、プライマリブロードキャストチャネル（Ｐ-ＢＣＨ）または個別ブロードキャストチャネル（Ｄ-ＢＣＨ）上にあり得る。さらに具体的には、ターゲットｅＮＢに関連する固有の情報を含むマスター情報ブロック（ＭＩＢ）は、Ｐ-ＢＣＨで送信される。他の情報を含む多数のシステム情報ブロック（ＳＩＢｓ）は、Ｄ-ＢＣＨで送信される。ＷＴＲＵは、各チャネルに割り当てられた比較的長い送信時間間隔（ＴＴＩ）のために、それらのダウンリンクチャネルを読み取るのにかなり多くの時間を使う必要がある。
【発明の概要】
【発明が解決しようとする課題】
【０００５】
３ＧＰＰ（Third Generation Partnership Project）ＬＴＥ（Long Term Evolution）同期ネットワークでは、無線送受信ユニット（ＷＴＲＵ）は、ターゲットセルの専用プリアンブルを送信する前にシステムフレーム番号（ＳＦＮ）を取得するために、プライマリブロードキャストチャネル（Ｐ-ＢＣＨ）を読み取ることなく、ターゲットセルへのハングオーバを行うことができる。しかし、ＷＴＲＵは、ターゲットセルで正常動作を行うためのハンドオーバの後に、ＳＦＮを知る必要がある。具体的には、間欠受信（ＤＲＸ）および動的ブロードキャストチャネル（Ｄ-ＢＣＨ）受信は、ＷＴＲＵがＳＦＮの知識を有していることを必要とする。
【課題を解決するための手段】
【０００６】
ハンドオーバの時間を短縮するための方法および装置が開示される。このことが、ハンドオーバのコマンドでセルに固有の情報を送信することを可能にする。
【図面の簡単な説明】
【０００７】
添付の図面と共に例示として与えられる以下の説明から、より詳細に理解される。
【図１】一の請求項に従う複数のＷＴＲＵおよびｅＮＢを含む例示的な無線通信システムを示す図である。
【図２】一の請求項に従う図１のＷＴＲＵおよびｅＮＢの機能ブロック図である。
【図３】一の請求項に従うハンドオーバ処理の信号図である。
【図４】他の請求項に従うハンドオーバ処理の信号図である。
【図５】別の請求項に従うハンドオーバ処理の信号図である。
【発明を実施するための形態】
【０００８】
以下を参照するとき、「無線送信／受信ユニット（ＷＴＲＵ）」という用語は、ユーザ機器（ＵＥ）、移動局、固定もしくは移動加入者ユニット、ページャ、携帯電話、携帯情報端末（ＰＤＡ）、コンピュータ、または、無線環境において動作可能な他の任意のタイプのユーザデバイスを含むが、それらに限定されない。以下で参照するとき、「基地局」という用語は、ノード−Ｂ、サイトコントローラ、アクセスポイント（ＡＰ）、または、無線環境において動作可能な他の任意のタイプのインターフェースデバイスを含むが、それらに限定されない。
【０００９】
図１は、複数のＷＴＲＵ１１０および１つのｅＮＢ１２０を含む無線通信システム１００を示している。図１に示すように、複数のＷＴＲＵ１１０は、ｅＮＢ１２０と通信をする。３つのＷＴＲＵ１１０および１つのｅＮＢ１２０が図１に示されているが、無線通信システム１００では無線および有線デバイスを任意に組み合わせてもよいことに留意されるべきである。
【００１０】
図２は、図１の無線通信システム１００のＷＴＲＵ１１０および基地局１２０の機能ブロック図である。図１に示したように、ＷＴＲＵ１１０は、ｅＮＢ１２０と通信する。ＷＴＲＵ１１０は、例えばブロードキャストチャネルなどのダウンリンク通信チャネル上でメッセージを受信するように構成される。ｅＮＢ１２０は送信するように構成され、ＷＴＲＵ１１０はブロードキャストチャネル（ＢＣＨ）上で信号を受信して監視するように構成される。ＷＴＲＵ１１０は、例えばランダムアクセスチャネル（ＲＡＣＨ）などのアップリンクチャネル上で送信することができる。ＷＴＲＵ１１０は、無線リソース制御（ＲＲＣ）メッセージおよびレイヤ１（Ｌ１）メッセージを送信しかつ受信するように構成される。
【００１１】
典型的なＷＴＲＵで見出されるコンポーネントに加えて、ＷＴＲＵ１１０は、プロセッサ２１５、受信機２１６、送信機２１７およびアンテナ２１８を備える。ＷＴＲＵ１１０は、ＬＣＤあるいはＬＥＤスクリーン、タッチスクリーン、キーボード、タッチペン、または、他の任意の典型的な入力／出力デバイスに限定されないが、ユーザインターフェース２２１も備えるようにしてよい。ＷＴＲＵ１１０は、（ＵＳＢ）ポート、シリアルポートおよび同類のものなど、他のデバイスへのインターフェース２２０のほかに、揮発性および不揮発性の両方のメモリ２１９も備えるようにしてよい。受信機２１６および送信機２１７は、プロセッサ２１５と通信する。アンテナ２１８は、無線データの送信および受信を容易にするために、受信機２１６および送信機２１７の両方と通信する。
【００１２】
典型的なｅＮＢで見出されるコンポーネントに加えて、ｅＮＢ１２０は、プロセッサ２２５、受信機２２６、送信機２２７およびアンテナ２２８を備える。受信機２２６および送信機２２７は、プロセッサ２２５と通信する。アンテナ２２８は、無線データの送信および受信を容易にするために、受信機２２６および送信機２２７と通信する。
【００１３】
ハンドオーバの中断時間は、ＷＴＲＵがハンドオーバのコマンドを受信する時間と、ＷＴＲＵがターゲットセルとの無線リソース制御（ＲＲＣ）の再構成を完了する時間、すなわち、ＷＴＲＵがターゲットセル内でデータの送受信を再開するときとの差として定義される。ＷＴＲＵがデータ送信および間欠受信（ＤＲＸ）などの正常動作を行うために、例えば、ターゲットセルでは、ＷＴＲＵは、ターゲットセルのＰ-ＢＣＨおよびＤ-ＢＣＨで伝送されるセルに固有のシステム情報を取得することができる。しかし、４０ｍｓの送信時間間隔（ＴＴＩ）で４回繰り返されるＰ-ＢＣＨの読み取り、および、８０，１６０，３２０ｍｓのスケジュール単位でのＤ-ＢＣＨの読み取りは、ハンドオーバの中断時間を増やすことになる。
【００１４】
ハンドオーバの処理中にＷＴＲＵによって受信される信号のフォーマットは、ハンドオーバの中断時間を短縮するのに役立つ。一般にＰ-ＢＣＨおよびＤ-ＢＣＨで伝送されるターゲットセルのためのセルに固有のシステム情報は、ハンドオーバ処理に不可欠である他のダウンリンク信号でＷＴＲＵに送信される。このことは、ハンドオーバの中断を回避することを可能にする。
【００１５】
ハンドオーバの処理中にＷＴＲＵによって受信されるターゲットセルに固有の情報は、以下を含めることができる。
ａ．ダウンリンクのシステム帯域幅、
ｂ．物理制御フォーマットインジケータチャネル（ＰＣＦＩＣＨ）情報、
ｃ．ＰＣＦＩＣＨ期間やＰＨＩＣＨリソースサイズなどの物理ハイブリッドＡＲＱインジケータチャネル（ＰＨＩＣＨ）情報、
ｄ．リファレンス信号の送信電力のシグナリング、および、他のデータ／制御サブキャリアへのリファレンス信号の電力スケーリング、
ｅ．ランダムアクセスチャネル（ＲＡＣＨ）構成、
i．ターゲットセル内のハンドオーバＷＴＲＵのために予約された専用プリアンブルに関する情報、および、
ii．同期と非同期の両方のネットワークのための専用プリアンブルの有効タイマ
ｆ．競合ベースＲＡＣＨ情報（オプション）、
ｇ．アップリンクリファレンス信号のための情報（周波数ホッピング）、
ｈ．リファレンス信号を発するための情報（場所）、
ｉ．物理アップリンク制御チャネル（ＰＵＣＣＨ）リファレンス信号（ＲＳ）連続ホッピング、
ｊ．物理アップ共有チャネル（ＰＵＳＣＨ）ホッピング、すなわち、セルに固有のベース上の２つのホッピングモード（サブフレーム間とサブフレーム内、または、サブフレーム間）のセミスタティック（ｓｅｍｉ−ｓｔａｔｉｃ）構成、
ｋ．アップリンク電力制御パラメータ、
ｌ．ターゲットセル内のＤＲＸ関連パラメータ
ｍ．ターゲットセル内の新しいＤＲＸサイクルの開始時間、
ｎ．システムフレーム番号（ＳＦＮ）、
ｏ．ターゲットセル内の完全ＳＦＮ（Ｆｕｌｌ  ＳＦＮ）、
ｐ．ソースとターゲットセルとの間のＳＦＮの差
ｑ．セル検索中にＷＴＲＵによって無分別に検出され得るｅＮＢの送信アンテナ数
ｒ．多数のブロードキャスト／マルチキャストサービス（ＭＢＭＳ）単一周波数番号（ＭＢＳＦＮ）関連パラメータ、および、
ｓ．近隣セルのリスト
情報は、ターゲットセルによってハンドオーバ要求承認メッセージでソースセルに提供することが可能になる。ＷＴＲＵは、ソースｅＮＢからのダウンリンク信号でこの情報を取得することが可能になる。The WTRU may obtain this information in downlink signals from the source eNB.
また、ネットワークまたはｅＮＢは、イントラＥ-ＵＴＲＡ（intra-Evolved Terrestrial Radio Access）ハンドオーバのための１つまたは複数の一組の「デフォルト」値を有するハンドオーバパラメータを定義することができる。ハンドオーバでは、ターゲットセルｅＮＢは、どの一組の値が、ＷＴＲＵによってハンドオーバのために使用することができるかを決定し、実際の値を指定せずに、一組のハンドオーバパラメータ値のインデックスを送ることができる。これは、コンパクトなシグナリングを可能にする。
【００１６】
また、特別なシステム情報ブロック（ＳＩＢ）のフォーマットは、上述したプロパティを含む、予め定義されたハンドオーバパラメータ値を定義することができる。値は、特定の地上波公共移動通信ネットワーク（ＰＬＭＮ：public land mobile Network）と関連する可能性がある。ネットワーク／サービスプロバイダは、ＷＴＲＵがハンドオーバの前に取得するため、１つまたは複数の一組の値になり得る必要なハンドオーバ値を予め定義することができる。ＰＬＭＮは、ＳＩＢをブロードキャストする複数のｅＮＢで実現することができる。ハンドオーバのコマンドは、ターゲットセルへのハンドオーバパラメータのために、インデックス、セット内の１つをＷＴＲＵに渡すことができる。
【００１７】
ＷＴＲＵは、ＲＲＣ再構成完了メッセージ（RRC_reconfiguration_completeメッセージ）あるいはＲＲＣ測定報告メッセージ（RRC_measurement_reportメッセージ）などのアップリンクメッセージ中でネットワークへ、ハンドオーバパラメータを取得したことまたはハンドオーバパラメータを含むＳＩＢを取得したことを示すまたは報告することができる。取得の確認は、例えばメッセージで単一のビットとすることが可能である。
【００１８】
ネットワークは、ハンドオーバパラメータ値がハンドオーバのコマンドでＷＴＲＵへ送信されるように決定することができる。完全な一組の値が使用され、または、デフォルト値セットへのインデックスが使用されることになる。また、１組の予め定義された値セットへのインデックスがｅＮＢによってＳＩＢブロードキャストで送信されることになる。
【００１９】
図３は、一の請求項に従うハンドオーバ３００の信号図を示している。ＷＴＲＵ３０２は、測定結果３０８をソースｅＮＢ３０４へ送る。測定に基づいて、ソースｅＮＢ３０４は、ハンドオーバ要求３１０をターゲットｅＮＢ３０６へ送る。ターゲットｅＮＢ３０６は、ハンドオーバ要求了承メッセージ３１２をソースｅＮＢ３０４に返す。ハンドオーバ要求了承メッセージ３１２は、上述したターゲットｅＮＢ３０６に固有の情報を含む。
【００２０】
ハンドオーバ処理３００は、ソースｅＮＢ３０４がターゲットセルに固有の情報を伝送するハンドオーバのコマンド３１４をＷＴＲＵ３０２へ送ることに続く。ＷＴＲＵ３０２は、ＲＡＣＨプリアンブル３１６、ＲＡＣＨレスポンス３１８およびハンドオーバ完了コマンド３２０をやりとりすることによって、ターゲットｅＮＢ３０６と直接通信する。次に正常動作３２２が、ＷＴＲＵ３０２とターゲットｅＮＢ３０６との間で行われる。
【００２１】
図４は、他の請求項に従うハンドオーバ処理の信号図を示している。図３の処理３００と同様に、ＷＴＲＵ４０２は、測定結果４０８をソースｅＮＢ４０４へ送る。測定に基づいて、ソースｅＮＢ４０４は、ハンドオーバ要求４１０をターゲットｅＮＢ４０６へ送る。ターゲットｅＮＢ４０６は、ハンドオーバ要求了承メッセージ４１２をソースｅＮＢ４０４に戻す。ハンドオーバ要求了承メッセージ４１２は、上述したターゲットｅＮＢ３０６に固有の情報を含む。
【００２２】
次にＷＴＲＵは、Ｐ-ＢＣＨおよびＤ-ＢＣＨで信号の受信および処理４１６を開始することができる。Ｐ-ＢＣＨおよびＤ-ＢＣＨの受信および処理４１６は、ＷＴＲＵがＲＡＣＨプリアンブル４１８を送信する前に開始するようにしてよい。Ｐ-ＢＣＨおよびＤ-ＢＣＨの受信４１６のためにＷＴＲＵによって使用される物理リソースは、ＲＡＣＨ応答４２０などのｅＮＢメッセージを受信するために使用されるＷＴＲＵのものと異なる。したがって、ＷＴＲＵ４０２は、Ｐ-ＢＣＨおよびＤ-ＢＣＨ４１６と、ＲＡＣＨメッセージ（図示せず）とを同時に受信して処理することができる。ＷＴＲＵ４０２は、ターゲットｅＮＢ４０６にハンドオーバ完了メッセージを送る。
【００２３】
ターゲットｅＮＢ４０６は、ＷＴＲＵ４０２が、Ｋサブフレーム４２６の後に、ターゲットｅＮＢ ＳＦＮ、Ｐ-ＢＣＨおよびＤ-ＢＣＨを取得したと決定することが可能である。ＫはＭ＋Ｎと等しく、ここではＭはＰ-ＢＣＨ ＴＩＩの番号、ＮはＤ-ＢＣＨ期間の番号である。例えば、Ｍ＝４であれば、最初のＲＡＣＨ専用プリアンブルがＷＴＲＵ４０２からターゲットｅＮＢ４０６によって受信された後１６０ｍｓに相当し、ハンドオーバのコマンド４１４がＷＴＲＵ４０２によって受信された後にＷＴＲＵ４０２のために開始する正常動作のための時間と等しい。
【００２４】
ＷＴＲＵ４０２がターゲットｅＮＢ ＳＦＮを取得する期間が、Ｐ-ＢＣＨおよびＤ-ＢＣＨ情報期間（Ｋサブフレーム）より短い可能性がある。しかし、ＫサブフレームがＷＴＲＵ４０２によって受信されるまでは、たとえＷＴＲＵ４０２がＳＦＮを取得したとしても、正常動作４２４は、ＷＴＲＵ４０２のためにｅＮＢ４０６によって開始することができない。これらの正常動作４２４は以下を含むが、それらに限定されない。
ａ．ＤＲＸサイクル、
ｂ．レベル１（Ｌ１）フィードバック、
ｃ．動的および半永続的なデータ送信／受信、および、
ｄ．タイミング整合（Ｔｉｍｉｎｇ  ａｌｉｇｎｍｅｎｔ）
Ｋサブフレームに先立って、ＷＴＲＵ４０２がターゲットｅＮＢ ＳＦＮを取得しなかった場合、ＷＴＲＵ４０２がＳＦＮおよび／またはＢＣＨ情報を取得するまで、動作のデフォルトモードがターゲットｅＮＢ４０６で適用される可能性がある。例えば、ＤＲＸ動作が停止されて、Ｌ１フィードバックが生成されないかそれとも無視されない可能性がある。ＷＴＲＵ４０２は、ＳＦＮおよび／またはＢＣＨ情報が取得されたこと、および正常動作が再会されたことをターゲットｅＮＢ４０６に通知するために、明示または黙示のシグナリングを行うことができる。
【００２５】
また、ＷＴＲＵ４０２がターゲットｅＮＢ ＳＦＮおよびＰ-ＢＣＨの受信に失敗してＫサブフレーム４２６の後にＰ-ＢＣＨのタイミング検出に完全に失敗した場合は、その後に、ＷＴＲＵ４０２は、無線リンクの障害が発生したことを決定することができる。次にＷＴＲＵ４０２は、無線リンク回復処理（図示せず）を開始することができる。
【００２６】
図５は、別の請求項に従うハンドオーバ処理５００の信号図を示している。図３および図４の処理３００および図４の処理４００と同様に、ＷＴＲＵ５０２は、測定結果５０８をターゲットｅＮＢ５０６に送る。測定に基づいて、ソースｅＮＢ５０４は、ハンドオーバ要求５１０をターゲットｅＮＢ５０６に送る。ターゲットｅＮＢ５０６は、ハンドオーバ要求了承メッセージ５１２をソースｅＮＢ５０４に返送する。ハンドオーバ要求了承メッセージ５１２は、上述したターゲットｅＮＢ５０６に固有の情報を含む。
【００２７】
ＷＴＲＵ５０２は、ＲＡＣＨプリアンブル５１６をターゲットｅＮＢ５０６に送る。ターゲットｅＮＢ５０６は、ＲＡＣＨ応答メッセージ５１８を送る。次に、ＷＴＲＵ５０２は、ハンドオーバ完了メッセージ５２０をターゲットｅＮＢ５２４に送る。次にＷＴＲＵ５０２は、Ｐ-ＢＣＨおよびＤ-ＢＣＨでの信号の受信および処理５２２を開始する。Ｐ-ＢＣＨおよびＤ-ＢＣＨ信号の受信５２２は、ＷＴＲＵ５０２がハンドオーバ完了５２０メッセージを送信した後に開始する。いったんＷＴＲＵ５０２がＰ-ＢＣＨおよびＤ-ＢＣＨ信号５２２を取得すると、ＷＴＲＵ５０２は、正常動作５２４を再開することができる。
【００２８】
（実施形態）
１．無線送受信ユニット（ＷＴＲＵ）におけるハンドオーバの方法であって、ハンドオーバ要求を送信すること、および、１組のハンドオーバ信号の一つを受信することを含み、前記１組のハンドオーバ信号の一つはさらに、１組のハンドオーバ信号がハンドオーバ処理の一部であることを条件に、ターゲットｅノードＢ（ｅＮＢ）に固有の構成情報を含む方法。
【００２９】
２．前記ターゲットｅＮＢに固有の情報は、前記ターゲットｅＮＢのシステムフレーム番号（ＳＦＮ）を含む実施形態１に記載の方法。
【００３０】
３．前記ＳＦＮに基づいてポスト-ハンドオーバ（ｐｏｓｔ−ｈａｎｄｏｖｅｒ）の間欠受信（ＤＲＸ）サイクルを決定する前記ＷＴＲＵをさらに含む実施形態１または２に記載の方法。
【００３１】
４．ランダムアクセスチャネル（ＲＡＣＨ）手順を実行し、かつ、同時にブロードキャストチャネルを受信して処理する前記ＷＴＲＵをさらに含む、先行する実施形態のいずれか１つに記載の方法。
【００３２】
５．ランダムアクセスチャネル手順を実行し、かつ、ブロードキャストチャネルを受信して処理する前記ＷＴＲＵをさらに含む実施形態２ないし４のいずれか１つに記載の方法。
【００３３】
６．無線送受信ユニット（ＷＴＲＵ）におけるハンドオーバの方法であって、測定結果を送信すること、前記測定結果に基づいてハンドオーバのコマンドを受信すること、ブロードキャストチャネルを受信して処理しながらランダムアクセス手順を実行すること、および、ハンドオーバを完了することを含み、前記ハンドオーバのコマンドは、ターゲットｅノードＢに関する固有の情報を含み、前記固有の情報として、前記ターゲットｅノードＢのシステムフレーム番号を有する方法。
【００３４】
７．前記固有の情報は、完全な１組の値である実施形態６に記載の方法。
【００３５】
８．前記固有の情報は、１組の値へのインデックスを含む実施形態６に記載の方法。
【００３６】
９．前記固有の情報は、１組の予め定義された値である実施形態６に記載の方法。
【００３７】
１０．無線送受信ユニット（ＷＴＲＵ）におけるハンドオーバの方法であって、測定結果を送信すること、前記測定結果に基づいてハンドオーバのコマンドを受信すること、ランダムアクセス手順を実行すること、ハンドオーバを完了すること、および、ブロードキャストチャネルを受信して処理することを含み、前記ハンドオーバのコマンドは、ターゲットｅノードＢに関する固有の情報を含み、前記固有の情報として、前記ターゲットｅノードＢのシステムフレーム番号を有する方法。
【００３８】
１１．前記固有の情報は、完全な１組の値である実施形態１０に記載の方法。
【００３９】
１２．前記固有の情報は、１組の値へのインデックスを含む実施形態１０に記載の方法。
【００４０】
１３．前記固有の情報は、１組の予め定義された値である実施形態１０に記載の方法。
【００４１】
１４．ハンドオーバを実行するように構成される無線送受信ユニット（ＷＴＲＵ）であって、ハンドオーバ要求を送信するように構成される送信機、および、ハンドオーバのコマンドを受信するように構成される受信機を備え、前記ハンドオーバのコマンドはさらに、ターゲットｅノードＢ（ｅＮＢ）に固有の構成情報を含むＷＴＲＵ。
【００４２】
１５．前記ターゲットｅＮＢに固有の情報は、前記ターゲットｅＮＢのシステムフレーム番号（ＳＦＮ）を含む実施形態１４に記載のＷＴＲＵ。
【００４３】
１６．前記ＳＦＮに基づいてポストハンドオーバ（ｐｏｓｔ−ｈａｎｄｏｖｅｒ）の間欠受信（ＤＲＸ）サイクルを決定するように構成されるプロセッサをさらに含む実施形態１４または１５に記載のＷＴＲＵ。
【００４４】
１７．前記ＷＴＲＵはさらに、ブロードキャストチャネルを受信して処理しながらランダムアクセスチャネル（ＲＡＣＨ）手順を実行するように構成される実施形態１５または１６に記載のＷＴＲＵ。
【００４５】
１８．無線送受信ユニット（ＷＴＲＵ）であって、測定結果を送信するように構成される送信機、前記測定結果に基づいてハンドオーバのコマンドを受信するように構成される受信機、前記受信機が受信する間にランダムアクセス手順を実行するように構成されるプロセッサを備え、前記プロセッサはさらに、ブロードキャストチャネルを処理しており、前記プロセッサはさらに、ハンドオーバを完了するように構成され、前記ハンドオーバのコマンドは、ターゲットｅノードＢに関する固有の情報を含み、前記固有の情報として、前記ターゲットｅノードＢのシステムフレーム番号を有するＷＴＲＵ。
【００４６】
１９．前記固有の情報は、完全な１組の値である実施形態１８に記載のＷＴＲＵ。
【００４７】
２０．前記固有の情報は、１組の値へのインデックスを有する実施形態１８に記載のＷＴＲＵ。
【００４８】
２１．前記固有の情報は、１組の予め定義された値である実施形態１８に記載のＷＴＲＵ。
【００４９】
上記では特徴および要素は特定の組み合わせで説明されたが、各特徴または要素は、他の特徴および要素を伴わずに単独で使用することができる、または、他の特徴および要素を伴うあるいは伴わない様々な組み合わせで使用することができる。提供される方法またはフローチャートは、汎用コンピュータまたはプロセッサによって実行されるコンピュータ読取り可能な記憶媒体に含まれるコンピュータプログラム、ソフトウェアまたはファームウェアで実施することができる。コンピュータ読取り可能な記憶媒体の例としては、ＲＯＭ（リードオンメモリ）、ＲＡＭ（ランダムアクセスメモリ）、レジスタ、キャッシュメモリ、半導体メモリデバイス、内蔵ハードディスクや着脱可能なディスクなどの磁気媒体、光磁気媒体、ＣＤ−ＲＯＭディスクおよびＤＶＤ（デジタル多用途ディスク）などの光媒体を含む。
【００５０】
適切なプロセッサは、例を挙げれば、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、および／または状態機械を含む。
【００５１】
ソフトウェアと連携するプロセッサは、無線送受信ユニット（ＷＴＲＵ）、ユーザ機器（ＵＥ）、端末、基地局、無線ネットワークコントローラ（ＲＮＣ）、または、任意のホストコンピュータにおいて使用される無線周波数トランシーバを実施するために使用され得る。ＷＴＲＵは、カメラ、ビデオカメラモジュール、ビデオフォン、スピーカフォン、バイブレーションデバイス、スピーカ、マイクロフォン、テレビトランシーバ、ハンズフリーヘッドセット、キーボード、Ｂｌｕｅｔｏｏｔｈ（登録商標）モジュール、ＦＭ（周波数変調）無線ユニット、ＬＣＤ（液晶表示）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または、ＷＬＡＮ（無線ローカルエリアネットワーク）モジュールまたはＵＷＢ（ウルトラワイドバンド）モジュールなど、ハードウェアおよび／またはソフトウェアで実施されるモジュールとともに使用することができる。
【図１】
0006047639.tif 000002
【図２】
0006047639.tif 000003
【図３】
0006047639.tif 000004
【図４】
0006047639.tif 000005
【図５】
0006047639.tif 000006